【事件の表示】
　平成　４年特許願第２０２６３７号「枠編集機能付き文書処理装置」拒絶査定に対する審判事件［平成　６年　２月２５日出願公開、特開平　６−　５２１５８］について、次のとおり審決する。
【結　論】
　本件審判の請求は、成り立たない。
【理　由】
１．手続の経緯・本願発明
　本願は、平成４年７月２９日の出願であって、その請求項１に係る発明は、平成１２年７月２４日付け手続補正書により補正された明細書及び図面の記載からみて、その特許請求の範囲の請求項１に記載された次のとおりのものである。
「画面上に複数の枠を設定し、その枠内で複数の情報を編集して印刷することが可能な文書処理装置において、
　各種印刷情報を入力する入力手段と、入力された各種印刷情報に印刷用紙の所定の枠内に配置するための枠番号を付加して記憶する入力情報記憶手段と、印刷情報を印刷する順に対応する枠番号を指定する枠番号指定手段と、指定された枠番号を指定順に記憶する枠番号記憶手段及び入力情報記憶手段から枠番号と印刷情報とを順次読み出すと共に、部数記憶手段から枠番号に対応する印刷部数を読み出して、所定枠内に印刷する印刷データを連続番号を付加して印刷部数分展開する展開手段と、展開された印刷データを印刷する印刷手段と、印刷部数が指定された印刷情報が印刷データに展開された際、印刷データ中の所定箇所に昇べき順または降べき順に連続番号を付加して繰り返し印刷するよう印刷手段を制御する印刷制御手段とを備えたことを特徴とする枠編集機能付き文書処理装置。」
　
２．引用例記載の発明             
　これに対して、原査定の拒絶の理由に引用された特開平４−９６８２１号公報（平成４年３月３０日出願公開、以下「引用例」という。）には、次のとおりの事項が図面とともに記載されている。
（ア）「名刺サイズの用紙を自動的に給紙する機構を備え、連続的に複数枚の名刺印刷を行う名刺印刷機能付きワードプロセッサにおいて、
　複数項目からなる名刺データを記憶する名刺データ記憶手段と、該名刺データを前記用紙内に印刷するため複数項目の印刷位置データを記憶している印刷書式記憶手段と、前記名刺データ記憶手段から読み出した名刺データを前記印刷書式に従って印刷出力用の文字列に変換し記憶する印刷データ記憶手段と、前記文字列を出力する印刷手段と、１または複数の印刷位置データを指定することにより名刺データの差し替え項目を指定する指定手段と、差し替え項目の名刺データおよびその印刷枚数を入力する入力手段と、入力された差し替え名刺データおよび印刷枚数を対応させて記憶する差替えデータ記憶手段と、差し替え項目に該当する印刷データ中の文字列を、差し替え名刺データの文字列と置き換え、置き換えた該文字列について前記差替えデータ記憶手段に記憶されている印刷枚数分を印刷するよう制御する差替印刷制御手段とを備えてなる名刺印刷機能付きワードプロセッサ。」（特許請求の範囲）
（イ）「（ホ）作用
　この発明に従えば、名刺データ記憶手段１に名刺データが記憶されている状態で、名刺データの差し替え項目を指定し、差し替え用の名刺データおよびその印刷枚数を順次差替データ記憶手段７に格納し、次いで差替印刷を実行させると、差替印刷制御手段８は、指定された差し替え項目に該当する印刷データ記憶手段３内の文字列を、差し替え用の文字列に差し替え、次いで差し替え用の名刺データに対応して記憶されている印刷枚数データを調べ、その枚数分について差し替えた文字列を印刷し、差し替え用の名刺データごとに上記処理を繰り返し実行するよう作用する。」（公報第２頁右上欄第１４行目〜左下欄第６行目）
（ウ）「第２図はこの発明の一実施例としての名刺印刷機能を備えた日本語ワードプロセッサの構成図である。同図において１０は入力部でありキーボードから構成されることが好ましい。入力部１０から入力されたキー信号はコード化されて入力バッファ１１に一時的に記憶され、そのコードおよび入力部１０から入力される各種指示は処理部１２に与えられる。また、この入力部１０からは名刺印刷する際の名刺印刷モード切り替え指示が入力される。さらに印刷される名刺データの特定項目を差し替えて印刷する際は、差し替え項目の指定、差し替え用の名刺データ、その印刷枚数がそれぞれ入力される。
　１３は表示部であり、入力部１０から入力されたかな文字列および変換された漢字交じり文など表示するために用いられるものであり、ＣＲＴやＬＣＤ等のドットマトリクスタイプの表示装置から構成されることが好ましい。１４はキャラクタジェネレータであり、処理部１２から受けた文字コードをドットマトリクスからなる文字パターンに生成する。」（公報第２頁左下欄第１１行目〜右下欄第１１行目）
　
　ここで、上記「ワードプロセッサ」は、ワードプロセッサである以上、画面上で複数の情報を編集して印刷することが可能なものであることが明らかである。
　また、上記（ウ）の「また、この入力部１０からは名刺印刷する際の名刺印刷モード切り替え指示が入力される。さらに印刷される名刺データの特定項目を差し替えて印刷する際は、差し替え項目の指定、差し替え用の名刺データ、その印刷枚数がそれぞれ入力される。」という記載からみて、上記「ワードプロセッサ」は、各種印刷情報を入力する入力手段を有していることが明らかである。
　また、上記（イ）の「差替印刷制御手段８は、指定された差し替え項目に該当する印刷データ記憶手段３内の文字列を、差し替え用の文字列に差し替え、次いで差し替え用の名刺データに対応して記憶されている印刷枚数データを調べ、その枚数分について差し替えた文字列を印刷し、差し替え用の名刺データごとに上記処理を繰り返し実行するよう作用する。」との記載からみて、上記「ワードプロセッサ」は、上記「差し替え用の名刺データ」、すなわち「印刷情報」ごとに何らかのファイル名を付加して記憶する入力情報記憶手段を備え、ファイル名で印刷情報を指定すると、指定された印刷情報が印刷用紙の所定の位置に印刷される構成を備えていることが明らかである。
　また、上記（イ）の記載からみて、上記「ワードプロセッサ」は、印刷部数を記憶する「部数記憶手段」と、「指定されたファイル名を指定順に記憶するファイル名記憶手段」を備えていて、入力情報記憶手段からファイル名と印刷情報とを順次読み出すと共に、部数記億手段からファイル名に対応する印刷部数を読み出して印刷するような構成を備えていることが明らかである。
　更に、上記「差し替え用の名刺データ」、すなわち「印刷情報」は、印刷手段で印刷することからみて、印刷データに展開する展開手段を備えていることが明らかである。
　そうすると、引用例には、
　画面上で複数の情報を編集して印刷することが可能なワードプロセッサにおいて、各種印刷情報を入力する入力手段と、入力された複数の印刷情報の内で指定された印刷情報を印刷用紙の所定の位置に印刷するために、各印刷情報にファイル名を付加して記憶する入力情報記憶手段と、指定されたファイル名を指定順に記憶するファイル名記憶手段及び印刷データを指定順に記憶するファイル名記憶手段及び入力情報記憶手段からファイル名と印刷情報とを順次読み出すと共に、部数記億手段からファイル名に対応する印刷部数を読み出して、印刷情報を印刷データに順次展開する展開手段と、展開された印刷データを印刷する印刷手段とを備えたワードプロセッサ、
が記載されているといえる。
　
３．対比・判断
　ここで、対比をする前に、前者の「入力された各種印刷情報に印刷用紙の所定の枠内に配置するための枠番号を付加して記憶する入力情報記憶手段」との記載は意味が明確でないので、本願の明細書の記載を参酌すると、上記記載は、「入力された複数の印刷情報の内で指定された印刷情報を印刷用紙の所定の枠内に配置するために、各印刷情報に枠番号を付加して記憶する入力情報記憶手段」なる内容を意味するものと認められる。
　そこで、本願の請求項１に係る発明（以下、「前者」という。）と上記引用例に記載された発明（以下、「後者」という。）とを対比すると、
　後者の「ワードプロセッサ」は、前者の「文書処理装置」に相当することが明らかである。
  また、後者の「印刷情報を印刷用紙の所定の位置に印刷する」との構成は、その機能からみて、前者の「印刷情報を印刷用紙の所定の枠内に配置する」ことに他ならない。
　更に、前者の「枠番号」も各印刷情報に付加されるものであるから、一種の「ファイル名」であるといえる。
　そうすると、両者は、
　画面上で複数の情報を編集して印刷することが可能な文書処理装置において、各種印刷情報を入力する入力手段と、入力された複数の印刷情報の内で指定された印刷情報を印刷用紙の所定の枠内に配置するために、各印刷情報にファイル名を付加して記憶する入力情報記憶手段と、印刷データを印刷する順に対応するファイル名を指定するファイル名指定手段と、指定されたファイル名を指定順に記憶するファイル名記憶手段及び印刷データを指定順に記憶するファイル名記憶手段及び入力情報記憶手段からファイル名と印刷情報とを順次読み出すと共に、部数記憶手段からファイル名に対応する印刷情報を読み出して、所定位置に印刷する印刷データを展開する展開手段と、展開された印刷データを印刷する印刷手段と、印刷部数分繰り返し印刷するよう印刷手段を制御する印刷制御手段とを備えた文書処理装置、
である点で一致し、次の点で相違している。
（１）文書処理装置に関して、前者では、画面上に複数の枠を設定し、その枠内で情報を編集する枠編集機能付きであるのに対して、後者では、このような機能が付いているか不明な点。
（２）印刷データを印刷部数印刷する構成として、前者では、印刷する印刷データを連続番号を付加して印刷部数展開する展開手段と、印刷データ中の所定箇所に昇べき順または降べき順に連続番号を付加して繰り返し印刷するよう印刷手段を制御する印刷制御手段とを備えているのに対して、後者では、このような構成を備えていない点。
　
　そこで、まず、上記相違点（１）について検討すると、
　画面上に複数の枠を設定し、その枠内で複数の情報を編集する枠編集機能は、いわゆる、マルチウインドウ機能として、文書処理装置においては普通に備わっている機能であるから、後者における文書処理装置においてこのような機能を備えるようにすること、すなわち、上記相違点（１）において挙げた前者のような構成とすることは、当業者であれば容易になし得るものと認める。
　次に、上記相違点（２）について検討すると、
　印刷データを繰り返し印刷する場合に、それらに昇べき順の番号を付加して印刷することは、例えば、紙幣の印刷、回数券の印刷等において普通に行われている事項であるから、このような事項を後者のものに採用するようなことは、当業者であれば容易に想到するものと認められ、その際印刷データを連続番号を付加して印刷部数展開し、印刷データ中の所定箇所に昇べき順または降べき順に連続番号を付加して繰り返し印刷するよう印刷手段を制御するようにすること、すなわち、上記相違点（２）において挙げた前者のような構成とすることは、当業者であれば容易になし得るものと認める。
　また、本願の請求項１に係る発明の効果についてみても、上記構成の採用に伴って当然に予測される程度のものにすぎず、格別顕著なものがあるとは認められない。
　
４．むすび
　したがって、本願の請求項１に係る発明は、上記引用例に記載された発明に基づいて、当業者が容易に発明をすることができたものであるから、特許法第２９条第２項の規定により特許を受けることができない。
　　　よって、結論のとおり審決する。